(57)【要約】      （修正有）【課題】注入抵抗が高い場合でも、軽い力で操作できるとともに、構造が単純で安価に製造でき、かつシンプルな円筒形状で片手操作が可能な注入器具を提供する。また、通常のディスポシリンジを簡単な部品交換で前記課題を解決することができる構造の注射器型の医療用注入器、およびその部品交換に使用する部品を提供する。【解決手段】先端部に注入材料を押出し可能な径小部（筒先部）１および後端開口部からプランジャー部材が挿入可能な径大部を有する外筒４と、前記外筒の後端開口部から前記外筒の径大部内に挿入可能で、かつその表面にネジ部が形成されたプランジャー部材３と、前記プランジャー部材のネジ部と外筒外で螺合し、プランジャー部材を回転することにより該プランジャー部材を前記外筒の径大部内で前後方向にスライド可能なネジ部をその内周面に有するナット部材５とを有するとともに前記ナット部材が前記外筒と脱着可能に装着される。【選択図】図１
2006116170.tif 000002
【特許請求の範囲】
【請求項１】
先端部に注入材料を押出し可能な径小部（筒先部）および後端開口部からプランジャー部材が挿入可能な径大部を有する外筒と、前記外筒の後端開口部から前記外筒の径大部内に挿入可能で、その表面にネジ部が形成されたプランジャー部材とを少なくとも有して構成され、かつ注入時の注入材料の注入に必要とする圧力（注入圧力）に応じて外筒内のプランジャー部材の移動を、プランジャー部材の押引操作とプランジャー部材の回転操作のどちらかを選択して行うことを可能とする手段（プランジャー部材の移動規制機構）を備えていることを特徴とする医療用注入器。
【請求項２】
プランジャー部材の移動規制機構が前記プランジャー部材のネジ部と外筒外で螺合するネジ部をその内周面に有するナット部材であることを特徴とする請求項１に記載の医療用注入器。
【請求項３】
ナット部材が外筒のフランジ部に脱着可能なものであることを特徴とする請求項２に記載の医療用注入器。
【請求項４】
プランジャー部材の外周表面に雄ネジ、またナット部材の内周面に雌ネジが形成されたものであることを特徴とする請求項２または３に記載の医療用注入器。
【請求項５】
ナット部材が該ナット部材を外筒に脱着可能に装着するための装着部を有することを特徴とする請求項２〜４のいずれかに記載の医療用注入器。
【請求項６】
装着部が外筒の後端部に形成されているフランジ部に挿入可能な穴部あるいは溝部であることを特徴とする請求項５に記載の医療用注入器。
【請求項７】
ナット部材がその一部が開放された形状のもの（以下、Ｃ型ナットという）であることを特徴とする請求項２〜６のいずれかに記載の記載の医療用注入器。
【請求項８】
医療用注入器の外筒内に挿入されたネジ部を表面部に有するプランジャー部材の前記ネジ部と螺合し、プランジャー部材を回転することにより該プランジャー部材が前記外筒内を前後方向にスライド可能とするネジ部をその内周面に有するとともに、前記外筒に脱着自在に装着可能なナット部材。
【請求項９】
ナット部材がＣ型であることを特徴とする請求項８に記載のナット部材。
【請求項１０】
ネジ部を表面部に有し、医療用注入器の外筒内に挿入されるプランジャー部材であって、前記ネジ部が外筒に脱着自在に装着されるナット部材の内周面に形成されたネジ部と螺合し、かつ該プランジャー部材を回転することにより前記外筒内を前後方向にスライド可能であることを特徴とするプランジャー部材。
【請求項１１】
請求項８または９に記載のナット部材と請求項１０に記載のプランジャー部材よりなる医療用注入器の構成部材。
【請求項１２】
１）  人体に流動体を注入するための注入経路を設定する工程、２）  前記注入経路に流動体の入った注入器を接続する工程、３）  前記接続した注入器から人体に流動体を注入する工程、を含む流動体注入方法で使用する前記注入器であって、流動体流出口、プランジャーを挿通する開口部を有する外筒と、前記開口部から挿通されたプランジャーとからなり、プランジャーは回転操作によって進退可能に構成されている医療用注入器。
【発明の詳細な説明】
【技術分野】
【０００１】
本発明は特に大きな押出圧力を必要とする分野に使用する注射器型の医療用注入器、例えば硬膜外に麻酔剤を注入する際や高粘度の骨充填材を患部へ注入する場合の使用に適した注射器型の医療用注入器に関する。
【背景技術】
【０００２】
大きな押出圧力を必要とする分野に使用する注射器型の医療用注入器においては、例えば硬膜外麻酔において硬膜外に麻酔剤を注入する際には麻酔剤が充填されたシリンジにカテーテルを接続してシリンジのプランジャー部材を手で押して注入操作を行っているが、該注入器に接続したカテーテルが細いため注入抵抗が高くプランジャー部材を押す操作に多大の労力を要するという問題がある。また、骨欠損部の補修，補填などを目的としてペースト状等（流動状）の骨充填材を患部へプランジャー部材を手で押して注入操作を行っているが、このペースト状の骨充填剤をシリンジで骨肉に注入する場合にも注入抵抗が高いため、同様にプランジャー部材を押す操作に多大の労力を要するという問題があった。
前記大きな押出圧力を必要とする分野に使用する注射器型の医療用注入器において、注入する際の押出圧力をより小さくしプランジャー部材を押す操作の労力を軽減し、例えば片手操作により円滑確実に押出操作ができる注射器型の医療用注入器が望まれていた。前記問題点を解決するため、特開２００３―１０２７４０号公報に示される器具が考案されている。しかし、この器具は、構造が複雑で高価といった問題がある。
【０００３】
【特許文献１】特開２００３―１０２７４０号公報
【発明の開示】
【発明が解決しようとする課題】
【０００４】
本発明は、前記問題を解決し、注入抵抗が高い場合でも、軽い力で操作できるとともに、構造が単純で安価に製造でき、かつシンプルな円筒形状で片手操作が可能な注入器具の提供をその解決すべき技術課題とする。
また、本発明は通常のディスポシリンジを簡単な部品交換で前記課題を解決することができる構造の注射器型の医療用注入器、およびその部品交換に使用する部品の提供を目的とする。
【課題を解決するための手段】
【０００５】
本発明は、先端部に注入材料を押出し可能な径小部（筒先部）および後端開口部からプランジャー部材が挿入可能な径大部を有する外筒と、前記外筒の後端開口部から前記外筒の径大部内に挿入可能で、その表面にネジ部が形成されたプランジャー部材とを少なくとも有して構成され、かつ注入時の注入材料の注入に必要とする圧力（注入圧力）に応じて外筒内のプランジャー部材の移動を、プランジャー部材の押引操作とプランジャー部材の回転操作のどちらかを選択して行うことを可能とする手段（プランジャー部材の移動規制機構）を備えていることを特徴とする医療用注入器、前記プランジャー部材および前記プランジャー部材の移動規制機構を提供することにより前記課題を解決することができた。
【０００６】
本発明の前記医療用注入器は、例えば１）人体に流動体を注入するための注入経路を設定する工程、２）前記注入経路に流動体の入った注入器を接続する工程、３）前記接続した注入器から人体に流動体を注入する工程、を含む流動体注入方法で使用できる。
【０００７】
本発明の医療用注入器において、前記外筒は通常のディスポシリンジの外筒として入手可能なものの中から選択できる。また、外筒の先端部に形成された径小部（筒先部）は上述のように薬液や骨充填材等を押出し可能なものであればよく、またその使用目的、例えば上述のように骨充填材等を押出しや注射針を接続して薬液を注入する場合等に応じて適宜その形状や大きさを変更してもよい。
【０００８】
前記プランジャー部材の移動規制機構としては、たとえば前記プランジャー部材のネジ部と外筒外で螺合するネジ部、および外筒の径大部の後端部に通常形成されているフランジ部に挿入可能な穴部あるいは溝部をその内周面に有し、かつ外筒と脱着可能に装着されるナット部材が挙げられる。
【０００９】
該ナット部材はそれを外筒に装着した状態、例えば前記ナット部材のフランジ部に外筒のフランジ部を挿入し、かつ前記プランジャー部材のネジ部とナット部材のネジ部とを螺合した状態ではプランジャー部材の押引操作ではなくプランジャーの回転操作により大きな注入圧力を必要とする場合であっても、該プランジャーを押引操作に行う場合に比較して少ない力で外筒内を前後方向に移動させることができる。また、大きな注入圧力を必要としない場合には、プランジャー部材の移動規制機構である前記ナット部材を外筒から取外し、従来の押引操作を行う医療用注入器と同様の注入および吸引操作を行うことができる。
【００１０】
プランジャー部材の移動規制機構である前記ナット部材は、上述のように外筒に装着された状態で外筒から簡単に取外しができ、かつ装着が可能であることが好ましいが、前記ナット部材を外筒のフランジ部に装着する場合、該フランジ部に簡単に装着でき、かつ装着した状態から容易に取外しが出来るように円形ではなくその一部が開放された円弧形状のもの（以下、Ｃ型ナット部材という）が好ましい。このＣ型ナット部材の形状、大きさ等は前記フランジ部の形状、大きさ等を考慮して適宜設定することができる。
ただし、本発明のプランジャー部材の移動規制機構は、外筒内のプランジャー部材の移動を、プランジャー部材の押引操作とプランジャー部材の回転操作のどちらかを選択して行うことを可能とするものであれば前記ナット部材には限定されない。
【００１１】
本発明の医療用注入器のプランジャー部材としては、例えばその表面に前記ナット部材の内周面に形成されたネジ部と螺合可能なネジ部が形成されたものが挙げられ、通常のディスポシリンジのプランジャー部材にネジを形成することにより容易に入手できる。また同様に本発明の医療用注入器の外筒も通常のディスポシリンジの外筒として入手可能なものの中から選択できる。
【００１２】
以下、本発明の実施態様を図に基づいて説明する。
本実施態様の医療用注入器は図１に示すように先端部に硬膜外に麻酔剤を注入可能で注射針を接続可能な径小部（筒先部）１および後端開口部からプランジャー部材３が挿入可能な径大部９を有する透明なポリプロピレン製の外筒４と、前記外筒４の後端開口部から前記外筒４の径大部９内に挿入可能で、かつその表面にオスネジ部１０が形成され、先端部にガスケットが形成されたプランジャー部材３と、前記プランジャー部材３のオスネジ部１０と外筒外で螺合し、プランジャー部材３を回転することにより該プランジャー部材３を前記外筒４の径大部９内で前後方向にスライド可能なメスネジ部８をその内周面に有するＣナット部材５とを少なくとも有して構成される。なお、前記透明な外筒４としては、ポリプロピレン以外にポリカーボネート、環状ポリオレフィン、ポリエチレン、硝子などで構成されてもよい。前記ナット部材５は図１および図２の（ａ）に示すようにその穴部７にプランジャー部材３の後端部に形成されたフランジ部７を挿入するとともに、その内周面に形成されたメスネジ部８と前記プランジャー部材３の表面に形成されたオスネジ部１０と外筒外で螺合することにより、外筒４と脱着可能に装着され、また、図２の（ｂ）に示すように前記Ｃナット部材５は外筒４から取外しが可能なものである。
【発明の効果】
【００１３】
本発明の医療用注入器は、前記Ｃ形ナット部材を外筒に装着した状態でＣ形ナット部材のネジ部とプランジャー部材のネジ部が螺合し、プランジャー部材の回転操作によりプランジャー部材は外筒の径大部内を前後方向に自由にスライド可能であるので、注入抵抗が高い場合でもプランジャー部材の回転操作により軽い操作力で注入材料の注入操作を行うことができ、かつ外筒は単純な円筒形状であるので外筒は手で持ち易く、片手で外筒を保持した状態でも、その手でブランジャを回転することが可能である。
【００１４】
また、前記Ｃ形ナット部材は外筒への取付けおよび取外しが容易であるので、前記Ｃ形ナットを外筒から取外し外すという簡単な操作で必要な場合には汎用のディスボシリンジと同様の薬液充填、及び注入操作を行うために使用ができる。
さらに前記Ｃ形ナット部材は単純形状の１部品で構成されているので安価で、かつ再利用可能であり、また、上述のように前記Ｃ形ナット部材が取付けられる外筒部分は通常のディスポシリンジが有するフランジ部分をそのまま使用でき、さらにネジ部をその表面に有するガスケット付きプランジャー部材も通常のディスポシリンジのプランジャー部材表面に単にネジ部を形成したものであるので、本発明によると、注入抵抗が高い薬液の注入操作に使用可能な医療用注入器が、通常のディスポシリンジと同様の低コストで、あるいは簡単な部品交換で製造できる。
さらに、本発明の医療用注入器は単純な構造であるため、不具合が発生する危険性が低いといった、医療用具として重要な効果が得られる。
【図面の簡単な説明】
【００１５】
【図１】本発明の医療用注入器の側面図である。
【図２】図１のＩ−Ｉ′の断面図である（ネジ部は不図示）。
【符号の説明】
【００１６】
１    注射針が接続可能な外筒の径小部（筒先部）
２    ガスケット
３    プランジャー部材
４    外筒
５    Ｃ型ナット
６    後端開口部からプランジャー部材が挿入可能な透明な外筒の径大部
７    外筒のフランジ部が挿入可能なＣ型ナットの穴部
８    Ｃ型ナットの内周面に形成された雌ネジ
９    後端開口部からプランジャー部材が挿入可能な外筒の径大部
１０  プランジャー部材３の外周面に形成された雄ネジ
【図１】
2006116170.tif 000003
【図２】
2006116170.tif 000004